(57)【要約】【課題】認証装置に記憶させるデータ量を抑制しつつ、認証装置による医療従事者の認証を迅速に行うことができるようにする。【解決手段】医療従事者の識別情報を記憶する識別情報記憶部１１と、出退勤検出装置３０から送信された、出勤者の識別情報を受信する出勤情報受信部１２と、出勤情報受信部１２が受信した出勤者の識別情報を識別情報記憶部１１に記憶させる識別情報登録部１３と、医療従事者からの認証要求を受け付ける認証要求受付部１６と、認証要求を行った医療従事者の識別情報が識別情報記憶部１１に記憶されている場合、認証要求を行った医療従事者を認証する認証部１７とを備え、医療施設に出勤中の医療従事者の識別情報のみを識別情報記憶部１１に記憶し、外部との通信を行うことなく、医療従事者の認証を行うことができるようにする。【選択図】図２
2016062152.tif 000002
【特許請求の範囲】
【請求項１】
医療従事者の識別情報を記憶する識別情報記憶部と、
前記医療従事者が医療施設に出勤したことを検出した出退勤検出装置から送信された、前記医療施設に出勤した医療従事者である出勤者の識別情報を受信する出勤情報受信部と、
前記出勤情報受信部が受信した前記出勤者の識別情報を前記識別情報記憶部に記憶させる識別情報登録部と、
前記医療従事者からの認証要求を受け付ける認証要求受付部と、
前記認証要求を行った前記医療従事者の識別情報が、前記識別情報記憶部に記憶されている場合、前記認証要求を行った前記医療従事者を認証する認証部と
を備えることを特徴とする認証装置。
【請求項２】
前記医療従事者が前記医療施設から退勤したことを検出した前記出退勤検出装置から送信された、前記医療施設から退勤した医療従事者である退勤者の識別情報を受信する退勤情報受信部と、
前記退勤情報受信部が受信した前記退勤者の識別情報と同一の識別情報を、前記識別情報記憶部から削除する第１の識別情報削除部と
をさらに備えることを特徴とする請求項１に記載の認証装置。
【請求項３】
前記識別情報記憶部に記憶された前記出勤者の識別情報の各々について、前記識別情報記憶部に記憶されてからの経過時間が所定の閾値を超えたか否かを判定する判定部と、
前記経過時間が前記閾値を超えたと前記判定部によって判定された前記出勤者の識別情報を、前記識別情報記憶部から削除する第２の識別情報削除部と
をさらに備えることを特徴とする請求項１または２に記載の認証装置。
【請求項４】
医療従事者が医療施設に出勤したことを検出可能な出退勤検出装置と、前記医療従事者の認証を行う認証装置とを備えたナースコールシステムであって、
前記出退勤検出装置は、
前記医療従事者が前記医療施設に出勤したことを検出する検出部と、
前記医療従事者が前記医療施設に出勤したことを前記検出部が検出した場合、当該出勤した医療従事者である出勤者の識別情報を前記認証装置へ送信する送信部と
を有し、
前記認証装置は、
前記医療従事者の識別情報を記憶する識別情報記憶部と、
前記出退勤検出装置から送信された前記出勤者の識別情報を受信する出勤情報受信部と、
前記出勤情報受信部が受信した前記出勤者の識別情報を前記識別情報記憶部に記憶させる識別情報登録部と、
前記医療従事者からの認証要求を受け付ける認証要求受付部と、
前記認証要求を行った前記医療従事者の識別情報が、前記識別情報記憶部に記憶されている場合、前記認証要求を行った前記医療従事者を認証する認証部と
を有することを特徴とするナースコールシステム。
【請求項５】
前記送信部は、
前記医療従事者が前記医療施設に出勤したことを前記検出部が検出する毎に、当該出勤が検出された前記出勤者の識別情報を、前記認証装置へ直ちに送信する
ことを特徴とする請求項４に記載のナースコールシステム。
【発明の詳細な説明】
【技術分野】
【０００１】
本発明は、医療従事者の認証を行うことができるように構成された認証装置およびナースコールシステムに関する。
【背景技術】
【０００２】
一般に、病院や介護施設等の医療施設では、患者や被介護者と、看護師、介護士、医師等の医療従事者との連絡に、ナースコールシステムが用いられている。ナースコールシステムは、例えば医療施設内の各病室に設置された廊下灯によって、医療従事者が所持する無線タグから医療従事者の識別情報を読み取り、医療従事者を認証するように構成することができる。これにより、医療従事者が病室を巡視したことを記録したり、認証された医療従事者が担当する患者の情報を廊下灯のディスプレイに表示したりすることができるようになる。
【０００３】
例えば、下記特許文献１には、廊下灯のＩＤ受信部によって看護師または医師が所持するＩＤカードからＩＤ情報を読み取り、ＩＤ情報から人物を特定して、特定した人物に関連する患者情報に関するオーダリングシステムの変更情報を廊下灯ＬＣＤに表示させる技術が開示されている。
【先行技術文献】
【特許文献】
【０００４】
【特許文献１】特開２００９−２８４４３号公報
【発明の概要】
【発明が解決しようとする課題】
【０００５】
しかしながら、上記特許文献１の技術では、ＩＤ情報から人物を特定するために、全ての看護師および医師のＩＤ情報を複数の廊下灯の各々に予め記憶させておく必要がある。このため、上記特許文献１の技術では、複数の廊下灯の各々に対し、全ての看護師および医師のＩＤ情報を記憶させるための大容量の記憶領域を確保しなければならないといった問題が生じていた。
【０００６】
このような問題を回避する方法として、廊下灯の外部に設けられたサーバに看護師および医師のＩＤ情報を記憶させておき、廊下灯が、通信ネットワークを介してこのサーバにアクセスして、ＩＤ情報から人物を特定する方法が考えられる。この方法により、看護師および医師のＩＤ情報を廊下灯に予め記憶させておく必要が無くなる。しかしながら、この場合、廊下灯とサーバとの間の通信速度が遅い場合には、人物の特定を迅速に行うことができないといった問題が生じてしまう。
【０００７】
本発明は、このような問題を解決するために成されたものであり、認証装置に記憶させるデータ量を抑制しつつ、認証装置による医療従事者の認証を迅速に行うことができるようにすることを目的とする。
【課題を解決するための手段】
【０００８】
上記した課題を解決するために、本発明では、医療従事者が医療施設に出勤したことを検出した出退勤検出装置から送信された、医療施設に出勤した医療従事者である出勤者の識別情報を認証装置が受信して、当該識別情報を認証装置の識別情報記憶部に記憶させる。そして、認証装置が医療従事者からの認証要求を受け付けると、認証要求を行った医療従事者の識別情報が識別情報記憶部に記憶されている場合、認証要求を行った医療従事者を認証するようにしている。
【発明の効果】
【０００９】
上記のように構成した本発明によれば、認証装置の識別情報記憶部に記憶された識別情報により、認証装置が外部との通信を行うことなく、医療従事者の認証を行うことができるため、通信の遅延を受けることがない。また、本発明によれば、医療施設に出勤中の医療従事者の識別情報のみが識別情報記憶部に記憶されるため、認証装置に記憶させるデータ量を軽減することができる。したがって、本発明によれば、認証装置に記憶させるデータ量を抑制しつつ、認証装置による医療従事者の認証を迅速に行うことができる。
【図面の簡単な説明】
【００１０】
【図１】本発明の第１実施形態に係るナースコールシステムの全体構成例を示す図である。
【図２】本発明の第１実施形態に係るナースコールシステムの機能構成例を示すブロック図である。
【図３】本発明の第１実施形態に係る認証装置による識別情報の登録および削除処理の手順を示すフローチャートである。
【図４】本発明の第１実施形態に係る認証装置による認証処理の手順を示すフローチャートである。
【図５】本発明の第１実施形態に係る識別情報記憶部に記憶された識別情報の一例を示す図である。
【図６】本発明の第２実施形態に係るナースコールシステムの機能構成例を示すブロック図である。
【発明を実施するための形態】
【００１１】
以下、本発明の一実施形態を図面に基づいて説明する。
【００１２】
〔ナースコールシステムの全体構成〕
図１は、本発明の第１実施形態に係るナースコールシステムの全体構成例を示す図である。なお、ここでは医療施設の一例として病院に設置される看護支援用のナースコールシステムを例にとって説明するが、本実施形態のナースコールシステムは、病院に設置されるものに限定されない。例えば、介護施設等の他の医療施設に設置される場合にも適用可能である。
【００１３】
図１に示すように、本実施形態に係るナースコールシステムは、ナースコール親機１、制御機２、廊下灯３、壁埋込形子機４、ハンド形子機５、認証装置１０、無線タグ２０、出退勤検出装置３０を備えて構成されている。
【００１４】
ナースコール親機１は、患者（ナースコール子機）からのナースコールの呼び出しに対する応答の操作または患者の呼び出しの操作を行うためのものであり、例えばナースセンタに設置される。ナースコール親機１は、この応答や呼び出しを行うためのハンドセット１ａを備えている。また、ナースコール親機１は、各種情報（例えば、ナースコールの呼出通知画面等）を表示するためのディスプレイ１ｂを備えている。
【００１５】
制御機２は、ナースコール親機１と廊下灯３との間に配置され、通話やデータの送受信に関する制御を行う。また、制御機２は、病院内ネットワーク４０に接続されている。制御機２は、病院内ネットワーク４０を介した出退勤検出装置３０と、廊下灯３を介した認証装置１０との間のデータ（例えば、後述する出勤情報および退勤情報）の送受信に関する制御を行う。
【００１６】
廊下灯３は、各病室の入り口付近に設置され、病室内の患者名が表示されるとともに、病室内の患者が看護師の呼び出しを行うと、呼び出しが行われたことが表示されるようになっている。
【００１７】
壁埋込形子機４およびハンド形子機５は、患者がナースコールの呼び出しの操作を行うためのものである。壁埋込形子機４は、病室の各ベッドサイドの壁に埋め込み設置される。この壁埋込形子機４は、廊下灯３に接続されている。壁埋込形子機４は、患者がナースコールの呼び出しを行うための呼出ボタン、患者が看護師と会話を行う際に使用するマイクおよびスピーカ、ハンド形子機５を接続するための接続端子を備えている。
【００１８】
ハンド形子機５は、患者がナースコールの呼び出しを行うための呼出ボタン、患者が看護師と会話を行う際に使用するマイクおよびスピーカを備えている。ハンド形子機５は、壁埋込形子機４の接続端子に接続されることにより、利用可能となる。
【００１９】
無線タグ２０は、複数の医療従事者の各々が所持する。無線タグ２０には、その無線タグ２０を所持する医療従事者の識別情報が記憶されている。無線タグ２０は、当該無線タグ２０が認証装置１０の無線タグリーダ装置５０に翳されたとき、医療従事者の識別情報を無線タグリーダ装置５０へ送信するようになっている。
【００２０】
認証装置１０は、無線タグリーダ装置５０を備えている。認証装置１０は、無線タグ２０から送信された医療従事者の識別情報を、無線タグリーダ装置５０によって受信する。そして、認証装置１０は、受信した医療従事者の識別情報に基づいて、その医療従事者の認証を行う。本実施形態のナースコールシステムでは、複数の廊下灯３の各々に対して認証装置１０が設けられている。なお、図１に示す例では、認証装置１０が廊下灯３の外部に設けられているが、認証装置１０は、廊下灯３に内蔵されていてもよい。また、認証装置１０は、廊下灯以外の機器（例えば、壁埋込形子機４）に対して設けられていてもよい。
【００２１】
出退勤検出装置３０は、医療従事者が出勤および退勤したことを検出することが可能な装置である。例えば、出退勤検出装置３０には、タイムカードまたは無線タグ２０による打刻が医療従事者によって行われることにより、医療従事者の出勤および退勤を検出するタイムレコーダ装置が用いられる。
【００２２】
このように構成された本実施形態のナースコールシステムは、出退勤検出装置３０によって医療従事者が出勤したことが検出されると、その医療従事者の識別情報が出退勤検出装置３０から各認証装置１０へ送信されて、各認証装置１０に記憶される。これにより、各認証装置１０は、当該認証装置１０に対して医療従事者が無線タグ２０を翳したとき、その医療従事者の識別情報が自装置に記憶されていることをもって、その医療従事者を認証することができるようになる。そして、認証装置１０によって医療従事者が認証されると、その認証装置１０に接続されている廊下灯３は、認証された医療従事者に応じた処理（例えば、医療従事者が巡視を行った病室を記録する処理）を行ったり、認証された医療従事者に応じた情報（例えば、認証された医療従事者が担当する患者に関する情報）を表示したりすることができるようになる。
【００２３】
〔ナースコールシステムの機能構成〕
図２は、本発明の第１実施形態に係るナースコールシステムの機能構成例を示すブロック図である。
【００２４】
図２に示すように、出退勤検出装置３０は、検出部３１および送信部３２を備える。また、認証装置１０は、識別情報記憶部１１を備える。また、認証装置１０は、その機能構成として、出勤情報受信部１２、識別情報登録部１３、退勤情報受信部１４、識別情報削除部１５ａ、認証要求受付部１６、認証部１７および認証結果出力部１８を備える。
【００２５】
出退勤検出装置３０の検出部３１は、医療従事者の出勤および退勤を検出する。例えば、検出部３１は、出退勤検出装置３０においてタイムカードまたは無線タグ２０による打刻が医療従事者によって行われることにより、医療従事者の出勤および退勤を検出する。
【００２６】
出退勤検出装置３０の送信部３２は、医療従事者が出勤したことを検出部３１が検出すると、その出勤した医療従事者である出勤者の識別情報を含む出勤情報を、制御機２へ送信する。これに応じて、制御機２は、当該出勤情報を、ナースコールシステムが備える複数の認証装置１０の各々へ送信する。また、送信部３２は、医療従事者が退勤したことを検出部３１が検出すると、その退勤した医療従事者である退勤者の識別情報を含む退勤情報を、制御機２へ送信する。これに応じて、制御機２は、当該退勤情報を、ナースコールシステムが備える複数の認証装置１０の各々へ送信する。特に、送信部３２は、医療従事者が出勤または退勤したことを検出部３１が検出すると、出勤情報または退勤情報を直ちに制御機２へ送信する。
【００２７】
認証装置１０の出勤情報受信部１２は、出退勤検出装置３０から送信された出勤情報を、制御機２および廊下灯３を介して受信する。認証装置１０の識別情報登録部１３は、出勤情報受信部１２が出勤情報を受信すると、その出勤情報に含まれている出勤者の識別情報を、識別情報記憶部１１に記憶させる。
【００２８】
認証装置１０の識別情報記憶部１１は、出勤者の識別情報を記憶する。特に、識別情報記憶部１１は、病院に所属する全医療従事者のうち、識別情報登録部１３によって登録された出勤者の識別情報のみを記憶する。すなわち、識別情報記憶部１１は、病院に出勤中の医療従事者の識別情報のみを記憶する。
【００２９】
認証装置１０の認証要求受付部１６は、無線タグリーダ装置５０に対して医療従事者が無線タグ２０を翳すことにより、無線タグリーダ装置５０が無線タグ２０から医療従事者の識別情報を読み取ると、その識別情報を無線タグリーダ装置５０から取得することをもって、医療従事者からの認証要求を受け付ける。
【００３０】
認証装置１０の認証部１７は、医療従事者の認証を行う。具体的には、認証部１７は、認証要求受付部１６が医療従事者の識別情報を取得すると、その識別情報と同一の識別情報が、識別情報記憶部１１に登録されているか否かを判断する。そして、認証部１７は、同一の識別情報が識別情報記憶部１１に登録されていると判断した場合、医療従事者の認証が成功したと判断する。一方、認証部１７は、同一の識別情報が識別情報記憶部１１に登録されていないと判断した場合、医療従事者の認証が失敗したと判断する。
【００３１】
認証装置１０の認証結果出力部１８は、認証部１７による認証結果を廊下灯３へ出力する。具体的には、医療従事者の認証が成功したと認証部１７が判断した場合、認証結果出力部１８は、医療従事者の認証が成功した旨の認証結果を廊下灯３へ出力する。一方、医療従事者の認証が失敗したと認証部１７が判断した場合、認証結果出力部１８は、医療従事者の認証が失敗した旨の認証結果を廊下灯３へ出力する。
【００３２】
認証装置１０の退勤情報受信部１４は、出退勤検出装置３０から送信された退勤情報を、制御機２および廊下灯３を介して受信する。認証装置１０の識別情報削除部１５ａは、特許請求の範囲に記載の第１の識別情報削除部に相当する。識別情報削除部１５ａは、退勤情報受信部１４が退勤情報を受信すると、その退勤情報に含まれている退勤者の識別情報と同一の識別情報を、識別情報記憶部１１から削除する。
【００３３】
なお、上記各機能ブロック１２〜１８，３１〜３２は、ハードウェア構成、ＤＳＰ、ソフトウェアの何れによっても実現することが可能である。例えばソフトウェアによって実現する場合、上記各機能ブロック１２〜１８，３１〜３２は、実際にはコンピュータのＣＰＵあるいはＭＰＵ、ＲＡＭ、ＲＯＭ等を備えて構成され、ＲＡＭ、ＲＯＭ、ハードディスク、半導体メモリ等に記憶されたプログラムが動作することによって実現できる。
【００３４】
〔認証装置１０による登録および削除処理の手順〕
図３は、本発明の第１実施形態に係る認証装置１０による識別情報の登録および削除処理の手順を示すフローチャートである。図３に例示する処理は、例えば、認証装置１０において常時実行されているものであり、認証装置１０が起動されたときに開始される。
【００３５】
まず、出勤情報受信部１２が、出退勤検出装置３０から出勤情報を受信したか否かを判断する（ステップＳ３０２）。ここで、出勤情報を受信したと出勤情報受信部１２が判断した場合（ステップＳ３０２：Ｙｅｓ）、識別情報登録部１３が、出勤情報に含まれている出勤者の識別情報を識別情報記憶部１１に登録する（ステップＳ３０４）。そして、認証装置１０は、ステップＳ３０２以降の処理を再度実行する。
【００３６】
一方、出勤情報を受信していないと出勤情報受信部１２が判断した場合（ステップＳ３０２：Ｎｏ）、退勤情報受信部１４が、出退勤検出装置３０から退勤情報を受信したか否かを判断する（ステップＳ３０６）。ここで、退勤情報を受信したと退勤情報受信部１４が判断した場合（ステップＳ３０６：Ｙｅｓ）、識別情報削除部１５ａが、退勤情報に含まれている退勤者の識別情報と同一の識別情報を識別情報記憶部１１から削除する。そして、認証装置１０は、ステップＳ３０２以降の処理を再度実行する。
【００３７】
一方、退勤情報を受信していないと退勤情報受信部１４が判断した場合（ステップＳ３０６：Ｎｏ）、認証装置１０は、ステップＳ３０２以降の処理を再度実行する。
【００３８】
図３の処理により、認証装置１０が出勤情報を受信する毎（すなわち、医療従事者の出勤が出退勤検出装置３０によって検出される毎）に、出勤者の識別情報が識別情報記憶部１１に登録される。また、認証装置１０が退勤情報を受信する毎（すなわち、医療従事者の退勤が出退勤検出装置３０によって検出される毎）に、退勤者の識別情報が識別情報記憶部１１から削除される。したがって、識別情報記憶部１１には、常に、病院に出勤中の医療従事者の識別情報のみが記憶された状態となる。
【００３９】
〔認証装置１０による認証処理の手順〕
図４は、本発明の第１実施形態に係る認証装置１０による認証処理の手順を示すフローチャートである。図４に例示する処理は、例えば、医療従事者が無線タグ２０を無線タグリーダ装置５０に翳すことにより、無線タグリーダ装置５０が医療従事者の識別情報を無線タグ２０から読み取ったときに開始される。
【００４０】
まず、認証要求受付部１６が、無線タグ２０から読み取られた医療従事者の識別情報を無線タグリーダ装置５０から取得する（ステップＳ４０２）。次に、認証部１７が、ステップＳ４０２で取得された医療従事者の識別情報と同一の識別情報が識別情報登録部１３に登録されているか否かを判断する（ステップＳ４０４）。ここで、同一の識別情報が識別情報登録部１３に登録されていると認証部１７が判断した場合（ステップＳ４０４：Ｙｅｓ）、認証部１７は、医療従事者の認証が成功したと判断し（ステップＳ４０６）、認証結果出力部１８が、医療従事者の認証が成功した旨の認証結果を廊下灯３へ出力する（ステップＳ４０８）。そして、認証装置１０は、図４に示す一連の処理を終了する。
【００４１】
一方、同一の識別情報が識別情報登録部１３に登録されていないと認証部１７が判断した場合（ステップＳ４０４：Ｎｏ）、認証部１７は、医療従事者の認証が失敗したと判断し（ステップＳ４１０）、認証結果出力部１８が、医療従事者の認証が失敗した旨の認証結果を廊下灯３へ出力する（ステップＳ４１２）。そして、認証装置１０は、図４に示す一連の処理を終了する。
【００４２】
〔識別情報記憶部１１に記憶された識別情報の一例〕
図５は、本発明の第１実施形態に係る識別情報記憶部１１に記憶された識別情報の一例を示す図である。
【００４３】
識別情報記憶部１１には、識別情報登録部１３により、病院に出勤中の医療従事者の識別情報のみが登録される。例えば、図５（ａ）に示す例では、識別情報記憶部１１には、病院に出勤中の医療従事者の識別情報として、「ＩＤ０００１」、「ＩＤ０００３」、「ＩＤ０００７」・・・が登録されている。
【００４４】
この状態から、識別情報「ＩＤ０００５」を有する医療従事者が病院に出勤したことを出退勤検出装置３０が検出すると、識別情報記憶部１１には、図５（ｂ）に示すように、識別情報登録部１３によって識別情報「ＩＤ０００５」が登録される。
【００４５】
その後、識別情報「ＩＤ０００３」を有する医療従事者が病院から退勤したことを出退勤検出装置３０が検出すると、識別情報記憶部１１からは、図５（ｃ）に示すように、識別情報削除部１５ａによって識別情報「ＩＤ０００３」が削除される。
【００４６】
このように識別情報記憶部１１に記憶された識別情報は、医療従事者の認証を行う際に、認証部１７によって参照される。認証部１７は、認証要求を行った医療従事者の識別情報と同一の識別情報が識別情報記憶部１１に記憶されている場合、その医療従事者を認証する。
【００４７】
以上説明したように、第１実施形態のナースコールシステムによれば、認証装置１０の識別情報記憶部１１に記憶された識別情報により、認証装置１０が外部との通信を行うことなく、医療従事者の認証を行うことができるため、通信の遅延を受けることがない。また、病院に出勤中の医療従事者の識別情報のみが識別情報記憶部１１に記憶されるため、認証装置１０に記憶させるデータ量を軽減することができる。したがって、認証装置１０に記憶させるデータ量を抑制しつつ、認証装置１０による医療従事者の認証を迅速に行うことができる。
【００４８】
また、第１実施形態のナースコールシステムによれば、出勤者の識別情報が直ちに識別情報記憶部１１に登録されるため、医療従事者が出勤した直後であっても、その医療従事者の認証を行うことができる。また、退勤者の識別情報が直ちに識別情報記憶部１１から削除されるため、不要な識別情報が識別情報記憶部１１に長時間残り続けることを防止することができる。
【００４９】
〔第２実施形態〕
次に、図６を参照して、本発明の第２実施形態について説明する。特に、第２実施形態の認証装置１０’に関し、第１実施形態の認証装置１０からの変更点について説明する。
【００５０】
図６は、本発明の第２実施形態に係るナースコールシステムの機能構成例を示すブロック図である。図６に示す認証装置１０’は、判定部１９および識別情報削除部１５ｂをさらに備える点で、図２に示す認証装置１０と異なる。
【００５１】
判定部１９は、識別情報記憶部１１に登録された複数の識別情報の各々について、識別情報記憶部１１に登録されてから経過時間が所定の閾値を超えたか否かを判定する。例えば、判定部１９は、定期的に、識別情報記憶部１１に登録された複数の識別情報の各々について、現在日時と識別情報記憶部１１への登録日時とに基づいて、識別情報記憶部１１に登録されてからの経過時間を算出し、当該経過時間が所定の閾値を超えたか否かを判定する。
【００５２】
識別情報削除部１５ｂは、特許請求の範囲に記載の第２の識別情報削除部に相当する。識別情報削除部１５ｂは、識別情報記憶部１１に登録されてからの経過時間が所定の閾値を超えたと判定部１９によって判定された識別情報を、識別情報記憶部１１から削除する。
【００５３】
この第２実施形態によれば、例えば、医療従事者が病院からの退勤時にタイムカードを打刻し忘れた場合であっても、識別情報が識別情報記憶部１１に登録されてからの経過時間が所定の閾値を超えれば、その識別情報が識別情報記憶部１１から自動的に削除される。このため、不要な識別情報が識別情報記憶部１１に残り続けることを防止することができる。
【００５４】
なお、上記各実施形態では、出退勤検出装置３０が医療従事者の出勤および退勤を検出する方法として、タイムカードまたは無線タグ２０を用いた打刻による方法を例示しているが、本発明はこれに限らない。例えば、出退勤検出装置３０が医療従事者の出勤状況または勤務予定が示されたデータ（例えば、出勤表データまたは勤務予定データ）を参照することにより、医療従事者の出勤および退勤を検出するようにしてもよい。この場合、タイムレコーダの代わりに、パーソナルコンピュータ等を出退勤検出装置３０として用いてもよい。
【００５５】
また、上記各実施形態では、認証装置１０，１０’が医療従事者を認証する方法として、無線タグ２０による方法を例示しているが、本発明はこれに限らない。例えば、バーコード、指紋認証、声紋認証等により、認証装置１０，１０’が医療従事者を認証するようにしてもよい。
【００５６】
また、上記各実施形態では、出退勤検出装置３０において、医療従事者が出勤または退勤したことを検出部３１が検出すると、出勤情報または退勤情報を直ちに複数の認証装置１０の各々へ送信するようにしているが、本発明はこれに限らない。例えば、所定時間毎に、その時間内に出勤した複数の出勤者の出勤情報、および、その時間内に退勤した複数の退勤者の退勤情報をまとめて複数の認証装置１０の各々へ送信するようにしてもよい。
【００５７】
また、上記各実施形態では、出勤情報および退勤情報を全ての認証装置１０へ送信するようにしているが、本発明はこれに限らない。例えば、医療従事者の認証を行う可能性がある認証装置１０（例えば、医療従事者が担当する診療科に設置されている認証装置１０）のみに、出勤情報および退勤情報を送信するようにしてもよい。
【００５８】
また、上記第１実施形態では、認証装置１０に識別情報削除部１５ａを設け、上記第２実施形態では、認証装置１０’に識別情報削除部１５ａおよび１５ｂを設けるようにしているが、本発明はこれに限らない。例えば、認証装置１０，１０’に識別情報削除部１５ｂのみを設けるようにしてもよい。
【００５９】
その他、上記各実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６０】
１  ナースコール親機
１ａ  ハンドセット
１ｂ  ディスプレイ
２  制御機
３  廊下灯
４  壁埋込形子機
５  ハンド形子機
１０，１０’  認証装置
１１  識別情報記憶部
１２  出勤情報受信部
１３  識別情報登録部
１４  退勤情報受信部
１５ａ  識別情報削除部（第１の識別情報削除部）
１５ｂ  識別情報削除部（第２の識別情報削除部）
１６  認証要求受付部
１７  認証部
１８  認証結果出力部
１９  判定部
２０  無線タグ
３０  出退勤検出装置
３１  検出部
３２  送信部
４０  病院内ネットワーク
５０  無線タグリーダ装置
【図１】
2016062152.tif 000003
【図２】
2016062152.tif 000004
【図３】
2016062152.tif 000005
【図４】
2016062152.tif 000006
【図５】
2016062152.tif 000007
【図６】
2016062152.tif 000008